(57)【要約】【課題】マネキンに外力が作用しても、マネキンの立ちを安定させることができるマネキンの支持装置を提供する。【解決手段】マネキンの支持装置は、ベース金具２１に設けられた円柱状の固定軸１と、前記固定軸１の上端面に形成された逆Ｌ字状の鉤部１ａと、前記円柱状の固定軸に係止される支持軸２と、前記支持軸２の下端部に形成されたＬ字状の鉤部２ａと、前記固定軸１及び支持軸２が挿通する貫通孔３ａが形成された固定キャップ３とを備え、前記固定軸１の逆Ｌ字状の鉤部１ａに、前記支持軸２のＬ字状の鉤部２ａが係止された状態において、前記固体キャップ３により固定軸１及び支持軸２の外周面を保持する。【選択図】図１
2008295730.tif 000002
【特許請求の範囲】
【請求項１】
ベース金具上に立設された支持軸、あるいは支持軸に取付けられた自立金具にマネキンが取付けられることで、前記マネキンを自立状態に支持する支持装置であって、
前記ベース金具に設けられた円柱状の固定軸と、前記固定軸の上端面に形成された逆Ｌ字状の鉤部と、前記円柱状の固定軸に係止される支持軸と、前記支持軸の下端部に形成されたＬ字状の鉤部と、前記固定軸及び支持軸が挿通する貫通孔が形成された固定キャップとを備え、
前記固定軸の逆Ｌ字状の鉤部に、前記支持軸のＬ字状の鉤部が係止された状態において、前記固体キャップにより固定軸及び支持軸の外周面を保持するように構成されていること特徴とするマネキン支持装置。
【請求項２】
前記ベース金具が、前記ベース金具よりも大きくかつ重いベース板に固定されていることを特徴とする請求項１記載のマネキン支持装置。
【請求項３】
前記固定軸の外周面には雄螺子部が形成されると共に固定キャップの貫通孔の内壁に雌螺子部が形成され、前記固定軸と固定キャップとが螺合することを特徴とする請求項１または請求項２記載のマネキン支持装置。
【発明の詳細な説明】
【技術分野】
【０００１】
この発明は、ベース金具の支持軸、あるいは前記支持軸に取付けられた自立金具によって、マネキンを自立状態に支持する支持装置に関する。
【背景技術】
【０００２】
現状におけるマネキンの多くは、繊維強化プラスチック（Ｆｉｂｅｒ  Ｒｅｉｎｆｏｒｃｅｄ  Ｐｌａｓｔｉｃｓ＝ＦＲＰ）により成型され、例えば人の全身を模した形態、あるいはまた胴体を模した形態等に製作されている。
これらマネキンは自立状態に支持され、例えば胴体を模した形態のマネキンでは、スタンドのような支持装置によって自立状態に支持することが提案されている（特許文献１）。
【０００３】
また、人の全身を模した形態のマネキンは、一般的に、図５，６に示すように、ベース板２０上に取付けられた自立金具３０を介してマネキン１０が自立状態に支持されている。
【０００４】
更に、この支持装置について詳細に説明すると、前記ベース２０上にはベース金具２１が螺子２２によって固定され、ベース金具２１の上には雄螺子部２１ａが設けられている。また、前記自立金具３０を支持する支持軸２３の下面部には前記雄螺子部２１ａと螺合する雌螺子部２３ａが形成されている。
【０００５】
また、前記自立金具３０は円筒形状に形成され、その内部に支持軸２３が挿入できるように構成されている。
【０００６】
また、前記自立金具３０には螺子孔３０ａが形成されており、螺子２４を螺合させ、前記螺子の先端を支持軸２３に当接させることにより、前記自立金具３０を支持軸２３に固定する。
【０００７】
このようにして一端が支持軸２３に固定された自立金具３０の他端部を、マネキン１０の脹脛に形成された自立金具受け部１０ａに挿入、保持することによって、前記マネキン１０は図５に示すような自立状態に支持される。
尚、複数の種類の自立金具３０を用意し、マネキンの種類、あるいはマネキンの支持する部位に応じた自立金具３０を、前記支持軸２３に取付けることにより、種々なマネキンあるいは支持する部位の異なるマネキンに対して、同一のベースを用いることができる。
【特許文献１】特開２００７−１４５４５号公報
【発明の開示】
【発明が解決しようとする課題】
【０００８】
ところで、前記した支持装置によってマネキンを支持している際、マネキンに図５に示す矢視方向の力Ｆが作用すると、ベース金具の雄螺子部と支持軸の雌螺子部との螺合が緩み、マネキンの立ちが曖昧、即ち、マネキンが傾き、あるいは仰け反り、立ちが安定しないという技術的課題があった。
【０００９】
この課題を解決する方法として、前記支持軸をベース金具に対して回転不能に溶接等の手段で固定する方法が考えられる。しかしながら、マネキンの足裏等で立たせる場合において、寸法の長い支持軸を用いる必要があるにも拘わらず、支持軸の交換ができないという新たな課題が生じる。
【００１０】
この発明は、前記した従来におけるマネキンの支持装置が抱える問題点に着目してなされたものであり、ベース金具に対して支持軸を交換可能に構成しつつ、マネキンに外力が作用しても、マネキンの立ちを安定させることができるマネキンの支持装置を提供することを目的とする。
【課題を解決するための手段】
【００１１】
前記した課題を解決するためになされたこの発明にかかるマネキンの支持装置は、ベース金具上に立設された支持軸、あるいは支持軸に取付けられた自立金具にマネキンが取付けられることで、前記マネキンを自立状態に支持する支持装置であって、前記ベース金具に設けられた円柱状の固定軸と、前記固定軸の上端面に形成された逆Ｌ字状の鉤部と、前記円柱状の固定軸に係止される支持軸と、前記支持軸の下端部に形成されたＬ字状の鉤部と、前記固定軸及び支持軸が挿通する貫通孔が形成された固定キャップとを備え、前記固定軸の逆Ｌ字状の鉤部に、前記支持軸のＬ字状の鉤部が係止された状態において、前記固体キャップにより固定軸及び支持軸の外周面を保持するように構成されていること特徴としている。
【００１２】
このように、固定軸の逆Ｌ字状の鉤部に、前記支持軸のＬ字状の鉤部が係止された状態において、前記固体キャップにより固定軸及び支持軸の外周面を保持するように構成されているため、支持軸に回転力が外力として作用しても、ベース金具に対して支持軸を確実に立設させることができ、マネキンの立ちを安定させることができる。
【００１３】
ここで、前記ベース金具が、前記ベース金具よりも大きくかつ重いベース板に固定されていることが望ましい。
このようなベース板にベース金具が固定されることにより、マネキンをより安定した自立状態になすことができる。尚、ベース金具自体を大きな寸法で形成することにより、ベース板を省略しても良い。
【００１４】
また、固定キャップの脱落を防止するために、前記固定軸の外周面に雄螺子部を形成すると共に固定キャップの貫通孔の内壁に雌螺子部を形成し、前記固定軸と固定キャップとを螺合させることが望ましい。
【発明の効果】
【００１５】
本発明によれば、ベース金具に対して支持軸を交換可能に構成しつつ、マネキンに外力が作用しても、マネキンの立ちを安定させることができるマネキンの支持装置を得ることができる。
【発明を実施するための最良の形態】
【００１６】
以下、この発明にかかるマネキンの支持装置の実施形態について、図１，２に基づいて説明する。図１は支持軸とベース金具との取付けを説明するための斜視図、図２は支持軸とベース金具との取付け状態を示す断面図である。尚、図において、同一あるいは相当する部材は同一符号を付することにより、その詳細な説明は省略する。
【００１７】
図において、符号１はベース金具２１に設けられた円柱状の固定軸１であって、上端面に逆Ｌ字状の鉤部１ａが形成されている。この逆Ｌ字状の鉤部１ａは前記固定軸１の上端面から突出した連結部１ｂと連結部１ｂの上端から水平方向に延設された爪部１ｃとから構成されている。尚、前記爪部１ｃと固定軸１の本体部１ｅとの間には溝部１ｄが形成されている。
そしてまた、この固定軸１はベース金具２１に対して溶接等により強固に固定されている。
【００１８】
また、前記固定軸１に係止される支持軸２の下端部には、前記固定軸１の逆Ｌ字状の鉤部１ａと嵌合するＬ字状の鉤部２ａが形成されている。
このＬ字状の鉤部２ａは前記支持軸２の下端面から突出した連結部２ｂと連結部２ｂの下端から水平方向に延設された爪部２ｃとから構成されている。尚、前記爪部２ｃと固定軸１の本体部２ｅとの間には溝部２ｄが形成されている。
【００１９】
更に、この支持軸２は、前記固定軸１の径と同一の径に形成されており、前記固定軸１の逆Ｌ字状の鉤部１ａに、支持軸２のＬ字状の鉤部２ａが係止されると、あたかも一つの軸のように形成される。
【００２０】
このとき、前記支持軸２は、逆Ｌ字状の鉤部１ａがＬ字状の鉤部２ａに係止されることによって、固定軸１に取付けられるため、両者が相対的に回転することがない。
そのため、固定軸と支持軸とを螺子によって螺合する従来の場合にように、固定軸１に支持軸２を取付け後、外力（回転力）によって緩むことがない。
【００２１】
また、前記固定軸１及び支持軸２が挿通する貫通孔３ａが形成された固定キャップ３が設けられ、前記逆Ｌ字状の鉤部１ａとＬ字状の鉤部２ａが係止された状態において、固定軸１及び支持軸２の外周面を保持するように構成されている。
即ち、上下方向及び回転方向に対しては、前記した逆Ｌ字状の鉤部１ａとＬ字状の鉤部２ａは係止された状態を維持するが、溝部２ｄ及び溝部１ｄの水平方向には係止されていないため、溝部１ｄ及び溝部２ｄの水平方向に外力が作用すると、鉤部２ａは鉤部１から外れる。
そのため、前記溝部２ｄ及び溝部１ｄの水平方向の支持軸２の移動を規制するために、固定軸１及び支持軸２の外周面を保持する固定キャップ３が設けられている。
【００２２】
また、図１，２には図示しないが、図６に示すように、前記自立金具３０は円筒形状に形成され、その内部に支持軸２が挿入できるように構成されている。そして、前記ベース金具２１に固定された固定軸１の鉤部１ａに鉤部２ａを係止し、固定キャップ３の貫通孔３ａ内に固定軸１及び支持軸２を挿通させ、前記固定軸１及び支持軸２の外周面を前記固定キャップ３で保持する。
【００２３】
このようにしてベース金具に固定された支持軸２に、一端がマネキンに取り付けられた自立金具３０の他端を挿入する。この自立金具３０は、図６に示した自立金具３０を用いることができる。即ち、自立金具３０には、螺子孔３０ａが形成されており、螺子２４を螺合させ、前記螺子２４の先端を支持軸２３に当接させることにより、前記自立金具３０を支持軸２に固定する。
【００２４】
このようにして一端が支持軸２に固定された自立金具３０の他端部は、マネキン１０の脹脛に形成された自立金具受け部１０ａに挿入、保持される。そして、マネキン１０は図５に示すような自立状態に支持される。
この自立状態にあるマネキンに、図５に示す矢視方向の力が作用しても、固定軸１と支持軸２は係止状態が維持されるため、マネキンが傾き、あるいは仰け反ることが無なく、マネキンの立ちが曖昧になることはない。
【００２５】
また、従来の場合と同様に、複数の種類の自立金具を用意し、マネキンの種類応じた自立金具を、前記支持軸に取付けることにより、異なるマネキンに同一のベースを用いことができ、またマネキンの支持する部位（例えば、足裏で支持、また膝裏で支持）に応じた自立金具を、前記支持軸に取付けることにより、異なる支持部位に対して同一のベースを用いることができる。
更に、前記自立金具に応じた支持軸を、ベース金具に交換可能に取付けることができるため、より好適にマネキンを支持することができる。
【００２６】
次に、図３に基づいて本発明の実施形態の変形例を示す。この図３は図２に対応する図であって、図２は支持軸とベース金具との取付け状態を示す断面図である。
この変形例は、固定軸１の本体部１ｅの外周面に雄螺子部１ｆが形成されると共に、固定キャップ３の貫通孔３ａの内壁に雌螺子部３ｂが形成され、前記固定キャップ３の雌螺子部３ｂと固定軸１の雄螺子部１ｆとが螺合し、前記固定軸１に固定キャップ３が固定される点に特徴がある。
このように、固定キャップ３が固定軸１に固定されるため、固定キャップ３の脱落を防止することができる。尚、この変形例にあっては、固定軸１のみ雄螺子部１ｆを形成したが、支持軸２の外周面に雄螺子部を形成しても良い。
【００２７】
更に、上記実施形態にあっては、全身を模した形状のマネキンのみならず、例えば、図４に示すような、胴体を模した形状のマネキン５を支持するスタンドタイプの支持装置にも用いることできる。
尚、上記実施形態にあっては、支持軸２に自立金具３０を取付け、自立金具３０を介してマネキンを支持しているが、前記自立金具３０を用いることなく、支持軸２によって、マネキンを支持するように構成しても良い。
【図面の簡単な説明】
【００２８】
【図１】図１は本発明にかかる実施形態の支持軸とベース金具との取付けを説明するための斜視図である。
【図２】図２は図１に示した実施形態の支持軸とベース金具との取付け状態を示す断面図である。
【図３】図３は、本発明にかかる実施形態の変形例を示す図であって、支持軸とベース金具との取付け状態を示す断面図である。
【図４】図４は、本発明にかかる実施形態を、胴体を模した形状のマネキンに適用した状態を示す正面図である。
【図５】図５は、従来のマネキンの支持装置を示す斜視図である。
【図６】図６は、従来のマネキンの支持装置の要部断面図である。
【符号の説明】
【００２９】
１          固定軸
１ａ        鉤部
１ｂ        連結部
１ｃ        爪部
１ｄ        溝部
１ｅ        本体部
１ｆ        雄螺子部
２          支持軸
２ａ        鉤部
２ｂ        連結部
２ｃ        爪部
２ｄ        溝部
２ｅ        本体部
３          固定キャップ
３ａ        貫通孔
３ｂ        雌螺子部
５          胴体形状を模したマネキン
１０          全身形状を模したマネキン
２１          ベース金具
２０          ベース
【図１】
2008295730.tif 000003
【図２】
2008295730.tif 000004
【図３】
2008295730.tif 000005
【図４】
2008295730.tif 000006
【図５】
2008295730.tif 000007
【図６】
2008295730.tif 000008